(57)【要約】【課題】交換機の輻輳を抑制しつつ受信者の接続の確率を高める電話機を提供する。【解決手段】番号を入力するキー群６ａと、電話番号を記憶する電話帳データ部９ｃと、キー群６ａの操作により緊急連絡用特定番号が入力されることにより、電話帳データ部９ｃからの抽出かキー群６ａの操作により得られる複数の緊急連絡用電話番号を連結する電話番号連結処理部９ｂ２と、連結された複数の緊急連絡用電話番号に緊急連絡用特定番号を連結して電文を作成する編集処理部９ｂ３と、電文を外部に送信する送信部９ｅと、を有する。【選択図】図４
2014236365.tif 000002
【特許請求の範囲】
【請求項１】
番号を入力するキー群と、
電話番号を記憶する電話帳データ部と、
前記キー群の操作により緊急連絡用特定番号が入力されることにより、前記電話帳データ部からの抽出か前記キー群の操作により得られる複数の緊急連絡用電話番号を連結する電話番号連結処理部と、
連結された複数の前記緊急連絡用電話番号に前記緊急連絡用特定番号を連結して電文を作成する編集処理部と、
前記電文を外部に送信する送信部と、
を有する電話機。
【請求項２】
前記緊急連絡用特定番号は、複数の前記緊急連絡用電話番号が付与されている着信側電話機に対し、一斉に同時に呼び出す一斉呼び出し処理と、タイムラグをおいて順次呼び出す順次呼び出し処理のいずれか一方を選択させる番号を兼ねていることを特徴とする請求項１に記載の電話機。
【請求項３】
緊急連絡用特定番号と複数の緊急連絡用電話番号を連結してなる電文を受信する受信部と、
前記電文から前記緊急連絡用特定番号、前記緊急連絡用電話番号を分析する番号分析部と、
前記電文から複数の前記緊急連絡用電話番号を分解する番号分解部と、
分解された前記緊急連絡用電話番号が付与されている複数の着信側電話機のそれぞれに呼び信号を送信する送信部と、
を有する電話用交換機。
【請求項４】
前記送信部は、複数の前記着信側電話機に同時に送信する一斉呼び出し処理と、タイムラグをおいて複数の前記着信側電話機に順次送信する順次呼び出し処理のいずれか一方を選択する呼び出し種別処理部の処理に従って前記呼び信号を送信することを特徴とする請求項３に記載の電話用交換機。
【請求項５】
請求項１、請求項２のいずれかに記載の電話機と、
請求項３、請求項４のいずれかに記載の電話用交換機と、
を有する電話連絡システム。
【発明の詳細な説明】
【技術分野】
【０００１】
本発明は、電話機、電話用交換機及び電話連絡システムに関する。
【背景技術】
【０００２】
震災、急病、交通事故などで人命にかかわるような緊急事態が発生した際に、人命救済目的で利用する連絡システムとして例えば次のような緊急通報システムが知られている。
【０００３】
その緊急通報方法は、緊急性を有する被災者が位置情報センターと呼ばれる中継センターに発信するシステムとなっている。具体的には、発信信号を受信した位置情報センターは、まず、発信者の位置情報をＧＰＳにより取得する。その後に、位置情報センターは、地図情報データベースを参照することにより警察署、消防署、救急医療機関等の公共施設のうち発信者の位置に近い通知先を複数選定し、選定順に発信処理する構成を有している。
【０００４】
それらの施設の全てに応答がないときは再び順に発信し直す。緊急通知先が応答したときには、応答した緊急通知先へ緊急発信者の所在位置情報を送信する。さらに、緊急通知先が位置情報センターとの間で終話処理したときには、緊急通知先と異なる第三者緊急通報先へ緊急発信者の所在位置情報と緊急通知先名と電話番号を転送する。この場合の位置情報センターは、受信後に加入者交換機、中継交換機を介して選択した公共施設に電話を掛ける一機関である。
【０００５】
そのような緊急通報方法の対象エリアよりも小規模なエリアを対象とする装置として次のような電話連絡装置が知られている。その電話連絡装置は、病人が緊急時に無看護状態を回避する装置であり、屋内電話回線を介する病室内の病人用電話機と、これに接続される他の場所の一般用電話機と、屋内電話回線の電話機と外線電話を切替する回線アダプターを有している。
【０００６】
一般用電話機には、優先順位を付けて複数の相手先電話番号データを記憶するメモリー装置と、外線呼出の接続切り替えを自動的に行う制御部とが内蔵されている。病人用電話機の呼出ボタンが押された場合に、回線アダプターは、まず、屋内の一般用電話機に接続して内線通話可能となし、その応答がない場合は予めメモリー装置に登録された外線を含む複数の相手先電話番号を優先順に従って所定時間呼び出す。そして、何れかの相手先の応答があるまで順次電話番号を切り替えて呼び出し、相手先の応答がある場合には相手先の電話機を病人用電話機に接続して通話可能とする制御がなされる。
【０００７】
さらに限定された小規模であるマンションのような集合住宅における緊急の連絡方法として次のような方法が知られている。即ち、管理室に設置される警報監視盤からの緊急呼び出しに対し、各住戸内の住宅情報盤親機及び副親機の拡声通話機能と警報監視盤の間に強制的に通話路を形成し、応答動作を可能にする方法が知られている。これにより、住人が送受話器をとることなく、警報監視盤と住人の間で速やかに連絡することが可能になる。この技術は、緊急時の連絡システムであるが、集合住宅内の構成によって可能であり、公衆電話回路網を介しての連絡手段に適用できない。
【先行技術文献】
【特許文献】
【０００８】
【特許文献１】特開２００１−３３９５３６号公報
【特許文献２】特開平０９−２９８５８９号公報
【特許文献３】特開２００３−０１６５５７号公報
【発明の概要】
【発明が解決しようとする課題】
【０００９】
上記のような公衆電話回路網を使用する連絡システムでは、受信者が話中、未応答の場合に、送信者や位置情報センターで再発信操作が必要となるが、震災のような災害時に再発信操作が繰り返えされれば、無線基地局や交換機の輻輳を助長させる。また、着信側において、着信が緊急かどうかわからないため、自己都合により応答しない場合がある。このような場合には、緊急を要する者の要求が満たされないことになる。
【００１０】
本発明の目的は、交換機の輻輳を抑制しつつ緊急時の回線接続の確率を高めることができる電話機、電話用交換機及び電話連絡システムを提供することにある。
【課題を解決するための手段】
【００１１】
本実施形態の１つの観点によれば、番号を入力するキー群と、電話番号を記憶する電話帳データ部と、前記キー群の操作により緊急連絡用特定番号が入力されることにより、前記電話帳データ部からの抽出か前記キー群の操作により得られる複数の緊急連絡用電話番号を連結する電話番号連結処理部と、連結された複数の前記緊急連絡用電話番号に前記緊急連絡用特定番号を連結して電文を作成する編集処理部と、前記電文を外部に送信する送信部と、を有する電話機が提供される。
発明の目的および利点は、請求の範囲に具体的に記載された構成要素および組み合わせによって実現され達成される。前述の一般的な説明および以下の詳細な説明は、典型例および説明のためのものであって、本発明を限定するためのものではない、と理解されるものである。
【発明の効果】
【００１２】
本実施形態によれば、交換機の輻輳を抑制しつつ緊急時の回線接続の確率を高めることができる。
【図面の簡単な説明】
【００１３】
【図１】図１は、実施形態に係る電話連絡システムを例示する概念図である。
【図２】図２は、実施形態に係る電話連絡システムにおける端末機の構造の一部を例示するブロック図である。
【図３】図３は、実施形態に係る電話連絡システムにおける交換機の構造の一部を例示するブロック図である。
【図４】図４は、実施形態に係る電話連絡システムの端末機、無線基地局、交換機の接続関係の一例を示すブロック図である。
【図５】図５は、実施形態に係る電話連絡システムの動作の発信側の電話機、無線基地局及び交換機における処理の一例を示すフローチャートである。
【図６】図６は、実施形態に係る電話連絡システムの動作の交換機における処理の一例を示すフローチャートである。
【図７】図７は、実施形態に係る電話連絡システムの動作の交換機における処理の一例を示すフローチャートである。
【図８】図８は、実施形態に係る電話連絡システムの動作の着信側の端末機における処理の一例を示すフローチャートである。
【発明を実施するための形態】
【００１４】
以下に、図面を参照して実施形態を説明する。図面において、同様の構成要素には同じ参照番号が付されている。
【００１５】
図１は、実施形態に係る電話連絡システムの概念図である。
【００１６】
図１に示す電話システムは、移動可能な無線端末である携帯電話機１ａ〜１ｋと、複数の携帯電話機１ａ〜１ｋのそれぞれに対して無線通信可能な無線基地局１０ａ〜１０ｃと、無線基地局１０ａ〜１０ｃに伝送路２１、２２を介して接続される交換機２０とを有している。交換機２０は、伝送路２３を介して固定電話網３１にも接続され、固定電話網３１には固定電話機３２が通信可能に接続されている。なお、図１には、交換機２０が１つ示されているが、複数配置されて互いに伝送路（不図示）を介して接続されてもよい。
【００１７】
各々の携帯電話機１ａ〜１ｋは、図２に例示するように、ＣＰＵ２に接続されるバス３を有し、バス３には、移動体無線装置４、外部記憶装置５、入力インタフェース６、出力インタフェース７、ＲＯＭ８、ＲＡＭ９などが接続されている。また、入力インタフェース６には、キー群６ａ、マイク６ｂ等が接続され、また、出力インタフェース７には、ディスプレイ７ａ、スピーカー７ｂ等が接続されている。キー群６ａは、例えばテンキーである。
【００１８】
携帯電話機１ａ〜１ｋのそれぞれは、発信端末として図４の上側に例示するような構造を有している。即ち、携帯電話機１ａ〜１ｋは、キー群６ａの打ち込み操作により入力インタフェース６を介してバス３に送信された番号を受信する受信部９ａを有している。また、携帯電話機１ａ〜１ｋは、受信部９ａから入力した番号を処理する電話番号抽出処理部９ｂ１、電話番号連結処理部９ｂ２及び電話番号編集処理部９ｂ３などを行う部分を備えた処理部９ｂを有している。さらに、電話番号を記憶する電話帳データ部９ｃと、発信番号履歴を記憶する発信履歴記憶部９ｄと、処理部９ｂで編集された番号を無線基地局１０ａ、１０ｂ、１０ｃに送信する番号送信部９ｅとを有している。
【００１９】
電話帳データ部９ｃは、例えば外部記憶装置５内に設けられ、キー操作や受信により取り込んだ電話番号、相手先名、メールアドレスなどのデータを記憶し、さらにキー入力やプログラムに従って分類される個人別データ、緊急連絡先データ群などのデータを記憶する。また、番号送信部９ｅは、図２に示した移動体無線装置４内に設けられている。
【００２０】
処理部９ｂなどにおける各種の処理は、プラグラムを実行するＣＰＵ２などにより遂行される。さらに、電話帳データ部９ｃ、発信履歴記憶部９ｄは、外部記憶装置５内に設けられる。
【００２１】
さらに、携帯電話機１ａ〜１ｋは、発信端末としての機能の他に着信端末として図４の下側に例示するような構造を有している。即ち、携帯電話機１ａ〜１ｋは、図２に示した移動体無線装置４に設けられるダイヤル受信部９ｆを有し、さらにダイヤル受信部９ｆから出力されるデータを分析する処理部９ｇを有している。処理部９ｇは、その内部の分析処理部９ｇ１によるデータ分析結果に基づいてディスプレイ７ａに電話番号や、緊急呼表示信号を出力して文字、記号などを表示させる緊急呼表示部９ｇ２を有している。さらに、処理部９ｇは、呼び出し部７ｂに呼出し処理信号を送信して呼び出し音や振動を発生させる着信呼び出し処理部９ｇ３などを有している。処理部９ｇにおける各種の処理などは、プラグラムを実行するＣＰＵ２などにより遂行される。
【００２２】
上記のような着信端末、発信端末としての携帯電話機１ａ〜１ｋの構造は、図２に示すＣＰＵ２、ＲＯＭ８、ＲＡＭ９などを含むものであり、そのような構造は図１に示した固定電話機３２でも有している。なお、以下の説明では携帯電話機１ａ〜１ｋを代表して説明する。
【００２３】
無線基地局１０ａ、１０ｂ、１０ｃのそれぞれは、図１に例示するように、携帯電話機１ａ〜１ｋとの相互間において無線で通信するアンテナ１１、送受信機１２などを有し、さらに交換機２０と通信する送受信機１３などを有している。無線基地局１０ａ〜１０ｃと交換機２０は、光ファイバ、メタル線などの有線、又は無線を使用する伝送路２１、２２を介して互いに接続されている。
【００２４】
交換機２０は、図３に例示するように、ＣＰＵ２２に接続されるバス２３を有している。バス２３には、スイッチ回路２４、入出力インタフェース２５、ＭＭ（メインメモリ）２６ａ、２６ｂ、ＤＫ（ディスク装置）２７ａ、２７ｂなどが接続されている。これらＭＭ及びＤＫは、故障対策のため冗長構成（運用系／待機系を構成するよう２つの装置を持つ）を取る場合が多い。図３においても冗長構成のためＭＭ及びＤＫは各２個ずつで構成されているが、本実施形態においてＭＭ／ＤＫの冗長化は必須の構成ではなく、ＭＭ／ＤＫのどちらか一方または両方ともが１つのみの構成でも良い。また、入出力インタフェース２５には、複数の回線収容部２５ａ、２５ｂ、２５ｃなどが接続されている。回線収容部２５ａ、２５ｂ、２５ｃは、伝送回路２１、２２、２３を介して無線基地局１０ａ、１０ｂ、１０ｃ、固定電話網３１などに接続される。
【００２５】
交換機２０は、図４のブロックに例示すように、ダイヤル受信部２８ａ、処理部２８ｂ、着信応答処理部２８ｃ、ダイヤル送信部２８ｄ、トーキ部２８ｅなどを有している。ダイヤル受信部２８ａは、無線基地局１０ａ〜１０ｃを介して携帯電話機１ａ〜１ｋから入力した信号を受信する構造を有している。また、処理部２８ｂは、受信した番号の分析処理部２８ｂ１と、その分析処理に基づく電話番号の分解処理部２８ｂ２と、着信側呼び出しの種別の処理を行う着信呼び出し種別処理部２８ｂ３などを有している。着信側呼び出し種別は、後述するように、順次呼び出し処理、或いは、一斉呼び出し処理のいずれかが選択される。処理部２８ｂなどにおける各種の処理は、プラグラムを実行するＣＰＵ２２などにより遂行される。
【００２６】
上記のような電話連絡システムにおいて、図５〜図８に示すようなフローに従い、発信者が１台の携帯電話機１ａのキー群６ａを操作して番号を入力すると、交換機２０は無線基地局１０ｂ、１０ｃを介して着信側の１台又は複数台の電話機１ｂ〜１ｋに電波を送信する。
【００２７】
まず、図５のイに示すように、発信端末機である携帯電話機１ａのキーを発信者が操作して番号を入力する。これにより、図５のロ、ハに示すように、携帯電話機１ａ内の受信部９ａは、その番号を受信し、“１１６”、“１０６”等のサービス電話番号か、通常の加入者系電話番号か、“１１０”、“１１９”のような緊急通報用電話番号か、或いは上記のような個人的な緊急発信用の特定番号かのいずれであるかを判断する。以下の説明では、緊急発信用の特定番号として例えば“９９９”、“９９０”を採用する。
【００２８】
受信部９ａは、緊急発信用の特定番号以外の番号を受信した場合には、その番号を番号送信部９ｅに送信する。これにより、図５のニに示すように、携帯電話機１ａ内の番号送信部９ｅは、外部の無線基地局１０ａ〜１０ｃと無線で通信し、その後に、無線基地局１０ａ〜１０ｃは交換機２０と通信する。
【００２９】
緊急発信用の特定番号以外の番号を受信した交換機２０は、通常の電話接続動作を行う。例えば、図４に示すように、交換機２０は、その内部のダイヤル送信部２８ｄから着信側の電話番号の１台の携帯電話機１ｈのダイヤル受信部９ｆに信号を送り、携帯電話機１ｈの呼び出し部７ｂを鳴動させ、一連の回線接続処理、応答処理を行われせる。その応答が終了した後に、交換機２０は、図５のホに示すように、発信側と着信側の携帯電話機１ａ、１ｈの回線接続を切断し、一連の動作を終了させる。なお、緊急発信用の特定番号でなく、加入者系電話番号、サービス電話番号、緊急通報用電話番号などの通常使用される番号でもない場合には、図５のロ、ハのＮｏに示すように、交換機２０は回線接続動作を行わずに処理を終了する。
【００３０】
これに対し、発信側の携帯電話機１ａにおいて、受信部９ａが緊急発信用の特定番号“９９９”又は“９９０”を受信したときには、受信部９ａはその特定番号を処理部９ｂに送信する。これにより、処理部９ｂは、次のような処理を行う。
【００３１】
まず、緊急発信用の特定番号を入力した処理部９ｂは、図５のヘに示すように、最初に電話番号を抽出する。電話番号を抽出する方法として、例えば、図４に示す発側の携帯電話機１ａ内の電話帳データ部９ｃに登録されている緊急連絡先データ群から複数の緊急連絡先Ａ、Ｂ、Ｃの電話番号を自動的に抽出するか、或いは、状況によっては緊急事態発生時にその場で発信者がキー操作により選択編集した電話番号を抽出する。緊急連絡先データ群から自動的に抽出する電話番号として、例えば、緊急事態発生前に事前に編集しておいた番号、或いは、発信履歴記憶部９ｄに記憶された番号データ群から発信回数の多い順に定められる特定件数の番号などがある。
【００３２】
電話番号を抽出した処理部９ｂは、図５のトに示すように、複数の電話番号を連結する電話番号連結処理を行い、１つの電文にする。電話番号連結処理では、緊急連絡先の複数の電話番号の間に区切りを示す特殊記号、例えば“＊”を自動的に挿入してもよい。例えば、図１に示すように、抽出した電話番号が付与された携帯電話機１ｈ、１ｉ、１ｊの相手先名をＡ、Ｂ、Ｃとし、Ａの電話番号を“０９０１１１１１１１１”、Ｂの電話番号を“０９０２２２２２２２２”、Ｃの電話番号を“０９０３３３３３３３３”とすると、連結処理により得られる１つの電文は、例えば“０９０１１１１１１１１＊０９０２２２２２２２２＊０９０３３３３３３３３”となる。さらに、着信側の携帯電話機１ｂ〜１ｋに、電話呼び出しが緊急呼であることを示す特殊記号、例えば“＃”を、電話番号と特殊記号＊の間に挿入してもよい。これにより、着信側の電話機１ｈ、１ｉ、１ｊでは、例えば、交換機２０から送られた緊急呼用の特殊記号“♯”を受信することによりディスプレイ７ａに緊急を示す記号、例えば“ＳＯＳ”を表示させる。
【００３３】
そのように連結された複数の電話番号には、処理部９ｂによりさらに緊急発信用の特定番号が上の桁に付与され、図５のチに示すように発信電文として処理部９ｂで編集される。緊急発信用の特定番号は、予め定められた発信者側の番号“９９９”、“９９０”でもよいし、その番号に基づいて電話機１ａの処理部９ｂが新たに作成する番号、記号でもよい。また、発信する電文に発信者の電話番号を付与する編集をしてもよい。
【００３４】
そのような電文は、上記の例を用いると、“９９９＊０９０１１１１１１１１＊０９０２２２２２２２２＊０９０３３３３３３３３”、又は、“９９０＊０９０１１１１１１１１＊０９０２２２２２２２２＊０９０３３３３３３３３”となる。また、発信者の電話番号を“０８０１１１１１１１１“とすると、特定番号の次の最初の電話番号を発信側の電話番号と定義し、発信電文を“９９９＊０８０１１１１１１１１＊０９０１１１１１１１１＊０９０２２２２２２２２＊０９０３３３３３３３３”又は“９９０＊０８０１１１１１１１１＊０９０１１１１１１１１＊０９０２２２２２２２２＊０９０３３３３３３３３”としてもよい。さらに、緊急呼用の特殊記号“＃”を連結すると、電文は、“９９９＊０８０１１１１１１１１＊＃０９０１１１１１１１１＊＃０９０２２２２２２２２＊＃０９０３３３３３３３３”又は“９９０＊０８０１１１１１１１１＊＃０９０１１１１１１１１＊＃０９０２２２２２２２２＊＃０９０３３３３３３３３”となる。
【００３５】
ところで、無線基地局１０ａ〜１０ｃは、無線交信時に携帯電話機１ａ〜１ｋとの間で交換するデータに発信側の電話番号が含まれているのが一般的なため、緊急発信用の電文に発信側の電話番号を含めるのは必須ではない。また、加入者系などで一般に使用される電話番号のうち上から数桁の数値は地域や携帯端末を選択、接続するために付与される番号体系である。例えば０３、０６、０５２は東京、大阪、名古屋を示す固定電話３２に付与される地域番号であり、０８０、０９０等は無線端末に付与される番号である。このような番号体系の電話番号を携帯電話側、交換機側で判別するプログラムとデータが格納され、最初の３桁の緊急発信用の特定番号に続く番号が電話番号であることを交換機２０が識別できれば、電話番号の区切りに特殊記号、例えば“＊”が挿入されていなくてもよい。従って、発信側の携帯電話機１ａにおいて複数の電話番号を連結する場合に、特定番号、電話番号の区切りの間に特殊記号、例えば“＊”を挿入しない場合もある。
【００３６】
編集された緊急発信用の電文は、携帯電話機１ａ内で処理部９ｂから番号送信部９ｅに出力され、さらに図５のリに示すように、番号送信部９ｅから外部の無線基地局１０ａ〜１０ｃに無線送信される。
【００３７】
発信した携帯電話機１ａを担当するエリア内の無線基地局１０ａは、交換機２０との交信により携帯電話機１ａに関する種々のデータを交換し、携帯電話機１ａとの間で通信を確立する。また、無線基地局１０ａは、図５のヌに示すように、携帯電話機１ａから受信した上記の緊急発信用の特定番号を含む電文とその他のデータを交換機２０に送信する。
【００３８】
図６のルに示すように、交換機２０内でダイヤル受信部２８ａが受信した番号の最初の３桁が緊急発信用の特定番号、例えば“９９９”又は“９９０”の場合には、処理部２８ｂは、ダイヤル受信部２８ａからの特定番号に基づいて次の処理を開始する。以下の説明では、緊急発信用の特定番号が“９９９”の場合には一斉呼び出し処理、“９９０”の場合には順次呼び出し処理として説明する。
【００３９】
まず、交換機２０の処理部２８ｂは、図６のヲ、ワに示すように、受信した発信電文から緊急用の特定番号とそれ以降に続く連続した番号の特殊記号又は番号体系を分析し、特殊記号“＊”を削除して複数の電話番号に分解する。さらに、図６のカに示すように、特定番号の種別、即ち“９９９”又は“９９０”に基づき、順次呼び出し方式か、一斉呼び出し方式かを選択し、選択した方式をダイヤル送信部２８ｃに指示する。ところで、交換機２０は、受信した特定番号に拘束されずに一斉呼び出し方式を選択してもよい。例えば、交換機２０において接続しようとする回線数が設定数より多い状態では、一斉呼び出し方式を選択すれば輻輳が生じやすくなるので、このような場合には一斉呼び出し方式を順次呼び出し方式に変更する処理を処理部２８ｂに行わせてもよい。
【００４０】
ダイヤル送信部２８ｃは、指示された上記の呼び出し方式に従い、無線基地局１０ｂ、１０ｃを介して最終的に着信側の相手先名Ａ、Ｂ、Ｃの携帯電話機１ｈ、１ｉ、１ｊを呼び出す。２つの呼び出し方式は、図６のカに示すように、電文の最初の３桁の特定番号、即ち“９９９”、“９９０”によって判断され、交換機２０は、次のような一斉呼び出し処理、または順次呼び出し処理を行う。
【００４１】
一斉呼び出し処理は、例えば発信電文の最初の３桁が“９９９”の場合に処理され、図６のヨに示すように、電文に含まれる着信側の複数の電話番号、例えば、“０９０１１１１１１１１”、“９０２２２２２２２２”、“０９０３３３３３３３３”が付与された携帯電話機１ｈ、１ｉ、１ｊを同時に一斉に呼び出す方法である。また、呼び出しと同時に、電文に含まれる緊急呼表示用特殊記号“＃”に基づいて、例えば“ＳＯＳ”を着信側の携帯電話機１ｈ、１ｉ、１ｊのディスプレイ７ａに表示させる。なお、交換機２０から着側の携帯電話１ｈ、１ｉ、１ｊへの呼び出しなどの交信は、無線基地局１０ｂ、１０ｃを介して行われる。
【００４２】
そして、図６のタに示すように、呼び出しに応じて少なくとも１台の携帯電話機１ｈ（１ｉ、１ｊ）に応答があったかどうかを判断する。応答が２台あった場合には、図６のレに示すように、２番目以降に応答した電話機に対してトーキ処理をする。
【００４３】
トーキ処理は、２番目以降に呼び出しに応答した電話番号の携帯電話機１ｉに対し、交換機２０内のトーキ部２８ｅに記憶させた自動音声ガイダンスを音声伝達する処理であり、例えば、「発信者に緊急事態が発生したので電話発信したが、他の電話が応答した」などを伝達する処理である。
【００４４】
呼び出しに少なくとも１台の携帯電話機１ｈが応答した場合には、図６のソに示すように、応答しない携帯電話機１ｊに対する呼び出しを停止する。その後に、図６のツに示すように、発信側の携帯電話機１ａの状態を判定する。
【００４５】
発信者の携帯電話機１ａが発信状態の場合には、図６のネ、ナに示すように、最初に応答があった着信側の携帯電話機１ｈと発信側の携帯電話機１ａを回線接続し、通話を開始させる。また、図６のネ、ムに示すように、発信者側の電話機１ａが切断されている場合には、発信側呼び出し処理として呼び返し処理を行い、回線を接続させる。さらに、図６のラに示すように、通話が終わり電話の応答が終了した場合には、回線を切断する。なお、一斉呼び出しに応答する電話がない場合には、図６のヨ、タ、ウに示すように、設定時間、再呼び出し設定回数が経過した時点で回線接続を終了する。この場合、交換機２０内のトーキ部２８ｅに記憶させた自動音声ガイダンス、例えば、「電話応答が無かったので時間をおいて再び発信するようにお願いします」などを発信者側の携帯電話機１ａに伝達してもよい。
【００４６】
図６のカに示すように、交換機２０で受信した電文のうち最初の３桁の特殊記号が“９９０”の場合には、交換機２０は順次呼び出し方式を採用し、交換機２０内で図７に示すような処理が行われる。順次呼び出し処理は、図７のエに示すように、電文に含まれる複数の電話番号、例えば“０９０１１１１１１１１”、“０９０２２２２２２２２”、“０９０３３３３３３３３”を持つ電話機１ｈ、１ｉ、１ｊを一定のタイミングで順番に繰り返して呼び出す。そして、着信側の１つの携帯電話機１ｈにより最初に応答があった後は、他の着信側の携帯電話機１ｉ、１ｋの呼び出しを終える呼び出し方法である。呼び出しの際には、着信側の携帯電話機１ｉ、１ｊ、１ｋのディスプレイ７ａに緊急呼表示を行わせる。
【００４７】
そして、図７のノ、オに示すように、呼び出された複数の携帯電話機１ｈ、１ｉ、１ｊのうち１台に応答があった場合には、最初に応答があった着信側の携帯電話機１ｈと発信側の携帯電話機１ａの回線を接続し、通話を開始させる。さらに、図７のクに示すように、残りの携帯電話機１ｉ、１ｊへの呼び出しを終了する。
【００４８】
この後には、図６のツ〜ラに示すように、応答した発信側の携帯電話機１ａの状態を判定し、その後には上記と同様に、電話回線接続処理、呼び返し処理などを行う。なお、一斉呼び出しに応答する電話がない場合には、図７のノ、ヤに示すように、一連の呼び出しが設定回数行われた時点で回線接続を終了する。この場合、交換機２０内のトーキ部２８ｅに記憶させた自動音声ガイダンス、例えば、「電話応答が無かったので時間をおいて再び発信するようにお願いします」などを発信者側の携帯電話機１ａに伝達してもよい。
【００４９】
一斉呼び出し処理、順次呼び出し処理のいずれの場合においても、無線基地局１９０ｂ、１０ｃを介して交換機２０に呼び出された着信側の携帯電話機１ｈ、１ｉ、１ｊには、電文内に含まれる緊急呼であることを示す特殊記号と発信側の電話番号を送信し、表示させる。
【００５０】
無線基地局１０ｂ、１０ｃを介して交換機２０から信号を受信した着信側の携帯電話機１ｉにおいては、図８のマ、ケに示すように、送信された電文を分析し、緊急呼の特殊記号があるかどうかを判断する。緊急呼表示用の特殊記号がある場合には、ディスプレイ７ａに緊急呼表示処理を行う。緊急呼表示処理は、図８のフに示すように、発信者の電話番号“０８０１１１１１１１１”と緊急呼記号、例えば“ＳＯＳ”を携帯電話機１ｈのディスプレイ７ａに表示させる。また、電文に特殊記号が無い場合には、図８のケのＮｏに示すように、緊急表示を行わない。電話番号について着信側の携帯電話１ｈ、１ｉ、１ｊが表示機能を有する場合には、通常の操作に従って表示させる。
【００５１】
また、図８のコに示すように、緊急呼表示用の特殊記号の有無にかかわらず、着信側の携帯電話機１ｈの処理部９ｇは、呼び出し部７ｂに着信を知らせる鳴動動作を行わせる。呼び出しに応答した携帯電話機１ｈでは、図８のエ、テ、アに示すように、通話を開始し、さらに応答を終了し、回線が切断される。また、応答が無い場合には、図８のエのＮｏに示すように、呼び出しを終了する。
【００５２】
以上のような鳴動動作により着信側の携帯電話機１ｈが応答した場合には、上記のように、交換機２０は発信側の携帯電話機１ａと着信側の携帯電話機１ｈを接続し、通話可能状態にする。また、接続前に発信側の携帯電話機１ａが切断されるような場合には、上記のように、発信側の携帯電話機１ａに呼び返しを行い、着信側の携帯電話機１ｈに接続する接続処理を行う。
【００５３】
着信側の携帯電話機１ｈと発信側の携帯電話機１ａの通話が開始されると、交換機２０はその通話を通常の電話回線接続状態になったと判断し、緊急時の特殊記号により連結された特定番号と応答しなかった電話番号のデータを消去する。
【００５４】
以上のような電話連絡システムによれば、発信者側の端末である携帯電話１ａにおいて、緊急連絡を定義する特定番号をダイヤルするだけで、緊急連絡先の複数の電話番号を連結し、さらに連結した電話番号に特定番号を連結して交換機２０に送信するようにしている。さらに、交換機２０では、緊急連絡用の特定番号を受信することにより、連結された複数の電話番号の連結を解き、緊急連絡先の電話番号毎に着信動作を行うようにしているため、発信者がかけ直しをする必要がなくなり、あるいはかけ直し回数を少なくすることができる。
【００５５】
これにより、かけ直しによる交換機２０のシステムのリソースの解放／補足の処理が省略でき、即ちリソース流用できるため、輻輳を助長するリスクを軽減することができる。また、震災などの緊急事態に際し、発信者のかけ直し操作が減るので、同じエリアの無線基地局１０ａ〜１０ｃにおける処理量が減り、無線基地局１０ａ〜１０ｃ及び交換機２０の輻輳の発生を抑制することができる。しかも、着信側の端末において着信呼が緊急であることを告知するための表示を行っているので、自己都合により応答しない着信側の状態を回避することができる。
【００５６】
ここで挙げた全ての例および条件的表現は、発明者が技術促進に貢献した発明および概念を読者が理解するのを助けるためのものであり、ここで具体的に挙げたそのような例および条件に限定することなく解釈され、また、明細書におけるそのような例の編成は本発明の優劣を示すこととは関係ない。本発明の実施形態を詳細に説明したが、本発明の精神および範囲から逸脱することなく、それに対して種々の変更、置換および変形を施すことができると理解される。
【００５７】
次に、実施形態を付記する。
（付記１）番号を入力するキー群と、電話番号を記憶する電話帳データ部と、前記キー群の操作により緊急連絡用特定番号が入力されることにより、前記電話帳データ部からの抽出か前記キー群の操作により得られる複数の緊急連絡用電話番号を連結する電話番号連結処理部と、連結された複数の前記緊急連絡用電話番号に前記緊急連絡用特定番号を連結して電文を作成する編集処理部と、前記電文を外部に送信する送信部と、を有する電話機。
（付記２）前記緊急連絡用特定番号は、複数の前記緊急連絡用電話番号が付与されている着信側電話機に対し、一斉に同時に呼び出す一斉呼び出し処理と、タイムラグをおいて順次呼び出す順次呼び出し処理のいずれか一方を選択させる番号を兼ねていることを特徴とする付記１に記載の電話機。
（付記３）前記電話番号連結処理部において、複数の前記緊急連絡用電話番号の間に区切りを示す特殊記号が挿入されることを特徴とする付記１又は付記２に記載の電話機。
（付記４）前記電話番号連結処理部において、緊急呼であることを示す緊急呼表示記号が前記電文に連結されることを特徴とする付記１乃至付記３のいずれか１つに記載の電話機。
（付記５）前記編集処理部において、前記電文には、発信側の電話番号が連結されることを特徴とする付記１乃至付記４のいずれか１つに記載の電話機。
（付記６）緊急連絡用特定番号と複数の緊急連絡用電話番号を連結してなる電文を受信する受信部と、前記電文から前記緊急連絡用特定番号、前記緊急連絡用電話番号を分析する番号分析部と、前記電文から複数の前記緊急連絡用電話番号を電話番号毎に分解する番号分解部と、分解された前記緊急連絡用電話番号が付与されている複数の着信側電話機のそれぞれに呼び信号を送信する送信部と、を有する電話用交換機。
（付記７）前記送信部は、複数の前記着信側電話機に同時に送信する一斉呼び出し処理と、タイムラグをおいて複数の前記着信側電話機に順次送信する順次呼び出し処理のいずれか一方を選択する呼び出し種別処理部の処理に従って前記呼び信号を送信することを特徴とする付記６に記載の電話用交換機。
（付記８）前記番号分解部は、前記電文に連結され、緊急呼であることを示す緊急呼表示記号を分解し、前記送信部は、前記緊急呼表示記号に基づいて前記着信側電話機のディスプレイに緊急表示をさせるための信号を前記着信側電話機に送信することを特徴とする付記６又は付記７に記載の電話用交換機。
（付記９）前記着信側電話機は、無線中継機を介して受信する携帯電話機であることを特徴とする付記６乃至付記７のいずれか１つに記載の電話用交換機。
（付記１０）付記１乃至付記５のいずれかの電話機と付記６乃至付記９のいずれかの電話用交換機と、を有する電話連絡システム。
【符号の説明】
【００５８】
１ａ〜１ｋ  携帯電話機
２  ＣＰＵ
３  バス
６  入力インタフェース
７  出力インタフェース
７ａ  ディスプレイ
７ｂ  呼び出し部
９ａ  受信部
９ｂ  処理部
９ｃ  電話帳データ部
９ｄ  発信履歴記憶部
９ｅ  番号送信部
９ｆ  ダイヤル受信部
９ｇ  処理部
１０ａ、１０ｂ、１０ｃ  無線中継器
１１  アンテナ
２０  交換機
２２  ＣＰＵ
２３  バス
２８ａ  ダイヤル受信部
２８ｂ  処理部
２８ｃ  着信側応答処理
２８ｄ  ダイヤル送信部
２８ｅ  トーキ部
３１  固定電話網
３２  固定電話機
【図１】
2014236365.tif 000003
【図２】
2014236365.tif 000004
【図３】
2014236365.tif 000005
【図４】
2014236365.tif 000006
【図５】
2014236365.tif 000007
【図６】
2014236365.tif 000008
【図７】
2014236365.tif 000009
【図８】
2014236365.tif 000010